(57)【特許請求の範囲】
【請求項１】
第一の部材と、
前記第一の部材に嵌まり、前記第一の部材との間で電装品を収納する第二の部材と、
前記第一の部材と前記第二の部材とを一方向に固定する第一の固定手段と、
前記第一の部材と前記第二の部材とを他方向に固定する第二の固定手段と、
を有し、
前記第一の固定手段又は第二の固定手段は、前記第一の部材と第二の部材との内部に配置され、前記第一の部材と前記第二の部材との前記一方向と逆方向への移動を許容し、且つ前記第一の固定手段又は第二の固定手段の固定を解除するように変形する変形部を有し、
前記変形部を押圧する工具を挿入するための挿入孔が、前記第一の部材及び前記第二の部材のいずれか一方に形成され、
前記変形部と前記挿入孔とは、前記第一の部材と前記第二の部材が固定されている状態では、前記一方向又は前記他方向において離れているように配置されている電装品収納装置。
【請求項２】
前記第一の固定手段による固定及び前記第二の固定手段による固定が解除される方向の前記第一の部材の変形及び前記第二の部材の変形を抑制する変形抑制手段をさらに有する請求項１記載の電装品収納装置。
【請求項３】
前記変形抑制手段は、前記第一の部材の長手方向及び前記第二の部材の長手方向と交わる方向において、前記第一の固定手段及び前記第二の固定手段の少なくともいずれか一方と重なる位置に配置されている請求項２記載の電装品収納装置。
【請求項４】
前記第一の固定手段は、
前記第一の部材と前記第二の部材との前記一方向への移動を禁止する禁止面を有する請求項１乃至３いずれか記載の電装品収納装置。
【請求項５】
定着装置本体と、
前記定着装置本体に嵌まり、前記定着装置本体との間で電装品を収納する蓋部材と、
前記定着装置本体と前記蓋部材とを一方向に固定する第一の固定手段と、
前記定着装置本体と前記蓋部材とを他方向に固定する第二の固定手段と、
を有し、
前記第一の固定手段又は第二の固定手段は、前記定着装置本体と前記蓋部材との内部に配置され、前記定着装置本体と前記蓋部材との前記一方向と逆方向への移動を許容し、且つ前記第一の固定手段又は第二の固定手段の固定を解除するように変形する変形部を有し、
前記変形部を押圧する工具を挿入するための挿入孔が、前記定着装置本体及び前記蓋部材のいずれか一方に形成され、
前記変形部と前記挿入孔とは、前記定着装置本体と前記蓋部材が固定されている状態では、前記一方向又は前記他方向において離れているように配置されている定着装置。
【発明の詳細な説明】
【技術分野】
【０００１】
本発明は電装品収納装置及び定着装置に関する。
【背景技術】
【０００２】
特許文献１には、電装部品と前記電装部品に電力を供給する電気束線とを有する電装ユニットと、前記電装ユニットを支持する支持フレームと、前記電装ユニットを覆うカバーとを備えた電装ユニットのカバー構造において、前記支持フレームは、前記電装ユニットが収納される収納スペースと、前記収納スペースの開口部に形成された鉤形の複数の係合部とを有し、前記カバーは、可撓性を有する樹脂製シート材によって形成されて、スナップフィットにより前記複数の係合部に係合されて前記収納スペースを被覆する、
ことを特徴とする電装ユニットのカバー構造が記載されている。
【０００３】
特許文献２には、  低圧電源回路が設けられた基板と、 一端が前記基板にハンダ付けされ、他端が前記低圧電源回路に電力を供給する外部電源に接続される１対の接続コードと、前記基板を内部に収納固定する収納凹部が形成されているとともに、前記収納凹部の開口縁の一部に切り欠きが形成された金属製の筐体と、前記開口縁と当接するように前記筐体に組み付けられて前記収納凹部を覆うとともに、前記切り欠きを閉じてコード挿通口とする金属製の蓋体と、内部に両前記接続コードを挿通させた状態で前記切り欠きに挿入され、前記蓋体が前記筐体に組み付けられることにより、前記コード挿通口に装着される樹脂製の環状体とを備える低圧電源と、前記低圧電源を収納するハウジングとを具備することを特徴とする画像形成装置である。
【先行技術文献】
【特許文献】
【０００４】
【特許文献１】特開２００４−６３５９３号公報
【特許文献２】特開２００９−３６８４１号公報
【発明の概要】
【発明が解決しようとする課題】
【０００５】
本発明は、保守をする者等による電装品の保守を行いやすくし、操作者等が電装品に触れにくくすることができる電装品収納装置及び定着装置を提供することを目的とする。
【課題を解決するための手段】
【０００６】
請求項１に係る本発明は、第一の部材と、前記第一の部材に嵌まり、前記第一の部材との間で電装品を収納する第二の部材と、前記第一の部材と前記第二の部材とを一方向に固定する第一の固定手段と、前記第一の部材と前記第二の部材とを他方向に固定する第二の固定手段と、を有し、前記第一の固定手段及び前記第二の固定手段のいずれか一方による固定を解除する工具を挿入するための挿入部が、前記第一の部材及び前記第二の部材のいずれか一方に形成されている電装品収納装置である。
【０００７】
請求項２に係る本発明は、前記第一の固定手段による固定及び前記第二の固定手段による固定が解除される方向の前記第一の部材の変形及び前記第二の部材の変形を抑制する変形抑制手段をさらに有する請求項１記載の電装品収納装置である。
【０００８】
請求項３に係る本発明は、前記変形抑制手段は、前記第一の部材の長手方向及び前記第二の部材の長手方向と交わる方向において、前記第一の固定手段及び前記第二の固定手段の少なくともいずれか一方と重なる位置に配置されている請求項２記載の電装品収納装置である。
【０００９】
請求項４に係る本発明は、前記第一の固定手段は、前記第一の部材と前記第二の部材との前記一方向と逆方向への移動を許容するように変形する変形部と、前記第一の部材と前記第二の部材との前記一方向への移動を禁止する禁止面と、を有する請求項１乃至３いずれか記載の電装品収納装置である。
【００１０】
請求項５に係る本発明は、定着装置本体と、前記定着装置本体に嵌まり、前記定着装置本体との間で電装品を収納する蓋部材と、前記定着装置本体と前記蓋部材とを一方向に固定する第一の固定手段と、前記定着装置本体と前記蓋部材とを他方向に固定する第二の固定手段と、を有し、前記第一の固定手段及び前記第二の固定手段のいずれか一方による固定を解除する工具を挿入するための挿入部が、前記定着装置本体及び前記蓋部材のいずれか一方に形成されている定着装置である。
【発明の効果】
【００１１】
請求項１に係る本発明によれば、保守をする者等による電装品の保守を行いやすくし、操作者等が電装品に触れにくくすることができる電装品収納装置を提供することができる。
【００１２】
請求項２に係る本発明によれば、第一の部材の変形及び第二の部材の変形が抑制され、第一の部材の変形及び第二の部材の変形の原因として、第一の固定手段による固定及び第二の固定手段による固定が解除される虞を軽減させることができる。
【００１３】
請求項３に係る本発明によれば、第一の部材の長手方向及び第二の部材の長手方向と交わる方向において、第一の固定手段及び第二の固定手段のいずれとも重ならない位置に変形抑制手段が配置されているものと比較して、第一の部材の変形及び第二の部材の変形の原因として、第一の固定手段による固定及び第二の固定手段による固定が解除される虞を軽減させることができる。
【００１４】
請求項４に係る本発明によれば、変形部及び禁止面を有しないものと比較して、第一の固定手段の構造を簡単にすることができる。
【００１５】
請求項５に係る本発明によれば、保守をする者等による電装品の保守を行いやすくし、操作者等が電装品に触れにくくすることができる定着装置を提供することができる。
【図面の簡単な説明】
【００１６】
【図１】本発明の実施形態に係る画像形成装置を右側面側から示す断面図である。
【図２】図１に示す画像形成装置が有する定着装置を右側面側から示し、図３におけるＡ−Ａ線断面を示す断面図である。
【図３】図２に示す定着装置を示す正面図である。
【図４】図２に示す定着装置を右側面側から示し、図３におけるＢ−Ｂ線断面を示す断面図である。
【図５】図２に示す定着形成装置が有する蓋部材一部を拡大して示す斜視図である。
【図６】図２に示す定着装置が有する定着装置本体の一部を拡大して示す斜視図である。
【図７】図２に示す定着装置が有する第一固定機構による固定の動作を説明し、図７（ａ）は、蓋部材が移動を開始する前における第一固定機構の状態を示す図であり、図７（ｂ）は、蓋部材が移動中であって、蓋部材に押されることにより定着装置本体の一部分が弾性的に変形している状態を示す図であり、図７（ｃ）は、第一固定機構により定着装置本体と蓋部材とが第一の方向に固定された状態を示す図である。
【図８】図２に示す定着装置が有する第二固定機構の動作を説明し、図８（ａ）、は蓋部材が画像形成装置本体に対して装着される前における第二固定機構の状態を示す図であり、図８（ｂ）は、蓋部材が移動中の第二固定機構の状態を示す図であり、図８（ｃ）は、第二固定機構により定着装置本体と蓋部材とが第二の方向に固定された状態を示す図である。
【図９】第一固定機構による定着装置本体と蓋部材との固定を解除する工具を示す図である。
【図１０】図２に示す定着装置が有する第一固定機構による固定が解除される動作を説明し、図１０（ａ）は、挿入部から工具が挿入された状態を示す図であり、図１０（ｂ）は、操作具が操作されることにより定着装置本体の一部が弾性的に変形した状態を示す図であり、図１０（ｃ）は、定着装置本体と蓋部材との第一の方向の固定が解除された状態を示す図である。
【発明を実施するための形態】
【００１７】
次に、本発明を実施するための形態を図面を参照して説明する。以下の説明において、図１における右側をＸ軸方向とし、図１における上側をＹ軸方向とし、図１における紙面の奥側から紙面の手前側に向かう方向をＺ軸方向とする。
【００１８】
図１には、本発明の実施形態に係る画像形成装置１０が示されている。画像形成装置１０は、電装品収納装置として用いられていて、画像形成装置本体２０を有し、画像形成装置本体２０には記録媒体として用いられている用紙を排出する排出口２２が形成されている。また、画像形成装置本体２０の上側の面は、現像剤像が定着された用紙が排出される排出部２４として用いられている。
【００１９】
また、画像形成装置本体２０の後側（図１における右側）には、ヒンジ９２を用いて開閉部９０が取り付けられている。開閉部９０は、ヒンジ９２を中心として回転するようにして画像形成装置本体２０に対して開閉することができる。図１には、開閉部９０が画像形成装置本体２０に対して閉じられた状態が示されていて、図１に示す状態からヒンジ９２を中心として図１に示す矢印ａ方向に回転させるように開閉部９０を移動させることで、開閉部９０は画像形成装置本体に対して開かれた状態となる。
【００２０】
また、画像形成装置本体２０内には、用紙に現像剤像を形成する像形成部１００が配置されている。像形成部１００は、像を保持する像保持体として用いられている感光体ドラム１０２と、感光体ドラム１０２の表面を均一に帯電する帯電装置１０４と、帯電装置１０４によって均一に帯電された感光体の表面に静電潜像を形成する潜像形成装置１０６と、潜像形成装置１０６によって形成された潜像を現像剤を用いて現像する現像装置１１０と、現像装置１１０によって潜像が現像されることで感光体ドラム１０２の表面に形成された現像剤像を用紙に転写する転写装置１１２と、転写装置１１２によって現像剤像が用紙に転写された後に、感光体ドラム１０２の表面に残留する現像剤等を清掃する清掃装置１１４とを有する。
【００２１】
また、画像形成装置本体２０内には、像形成部１００によって用紙に形成された現像剤像を用紙に定着させる定着装置２００が配置されている。定着装置２００は、開閉部９０が画像形成装置本体２０に対して開いた状態において、画像形成装置本体２０に対して着脱することができる。
【００２２】
また、画像形成装置本体２０内には、像形成部１００に例えば用紙を供給する給紙装置６１０と、同じく像形成部１００に用紙を供給する給紙装置６２０とが配置されている。給紙装置６１０は、積層された状態にある用紙を収納する用紙収納部６１２と、用紙収納部６１２に収納された用紙を後述する搬送路５００へと送り出す送り出し装置６１４とを有する。また、給紙装置６２０は、積層された状態にある用紙を収納する用紙収納部６２２と、用紙収納部６２２に収納された用紙を後述する搬送路５００へと送り出す送り出し装置６２４とを有する。
【００２３】
また、画像形成装置本体２０内には、用紙を搬送するための搬送路５００が形成されていて、搬送路５００は主搬送路５０２と反転搬送路５０４とを有する。そして、主搬送路５０２による用紙の搬送方向における上流が側から順に、主搬送路５０２に沿って、先述の給紙装置６２０と、先述の給紙装置６１０と、レジストロール５１０と、先述の転写装置１１２及び先述の感光体ドラム１０２と、先述の定着装置２００と、排出ロール５２０とが配置されている。
【００２４】
レジストロール５１０は、給紙装置６１０及び給紙装置６２０のいずれかから供給された用紙の先端部の移動を一時的に停止させ、感光体ドラム１０２の表面にトナー像が形成されるタイミングに合致させるように、感光体ドラム１０２と転写装置１１２とで形成される転写部への用紙の先端部の移動を再開させる。
【００２５】
転写装置１１２は、印加されている転写バイアスによって感光体ドラム１０２の表面に形成されたトナー像を用紙へと静電的に転写させる。
【００２６】
排出ロール５２０は、定着装置２００によってトナー像が定着された用紙を、排出口２２を通過させるようにして排出部２４に向けて排出する。また、一方の面に現像剤像が形成された用紙の他方の面にも現像剤像を形成する場合には、用紙の後端部近傍が排出ロール５２０に到達したタイミングで排出ロール５２０が逆方向の回転を開始し、逆方向に回転することで、排出ロール５２０は一方の面に現像剤像が形成された用紙を後端部側から反転搬送路５０４へと送り出す。
【００２７】
また、反転搬送路５０４における用紙の搬送方向における上流側から順に、反転搬送路５０４に沿って、例えば２つの搬送ロール５３０、搬送ロール５３２が配置されている。搬送ロール５３０と搬送ロール５３２とは、一方の面にトナー像が形成された用紙を反転させつつ、その用紙をレジストロール５１０へと向けて搬送する。
【００２８】
図２、図３及び図４には、定着装置２００が示されている。図２、図３及び図４に示すように、定着装置２００は、定着装置本体２１０と、サーモスタット２２０と、蓋部材２３０と、第一固定機構２５０と、第二固定機構２７０と、変形抑制機構２９０とを有する。
【００２９】
定着装置本体２１０は、第一の部材として用いられていて、例えば樹脂等の弾性変形することができる材料からつくられている。定着装置本体２１０には、図３に示すように、蓋部材２３０に向けて前側へと突出するように、例えば断面が十字形状を有する案内突起２１２が形成されている。また、定着装置本体２１０は、図３及び図４に示すように、上側突起２１８Ｕと下側突起２１８Ｌとを備えている。上側突起２１８Ｕは定着装置本体２１０の上端部から下側に向けて突出していて、下側突起２１８Ｌは定着装置本体２１０の下端部から上方に向けて突出している。また、定着装置本体２１０には、サーモスタット２２０が取り付けられていて、定着装置本体２１０内には、加熱ロール３１０と加圧ベルト３３０とが配置されている。
【００３０】
サーモスタット２２０は、電装品の一例として用いられていて、後述する熱源３１２と、加熱ロール３１０とを少なくとも含む系の温度が一定の範囲内の温度となるように熱源３１２の温度を制御している。電装品としては、サーモスタット２２０以外に、例えば電線（不図示）、ハーネス（不図示）等を挙げることができる。以下、サーモスタット２２０、電線、ハーネス等の電装品を総称して、サーモスタット２２０等とする。
【００３１】
サーモスタット２２０等は、例えば操作者等が触れることにより故障をしやすい等の理由により、操作者が触れることができないようにしておくことが望ましい。一方、サーモスタット２２０等の保守のためには、保守をしやすい位置にサーモスタット２２０等が配置されていることが望ましい。
【００３２】
加熱ロール３１０は、図示を省略する駆動源からの駆動が伝達されることで、矢印ｂ方向に回転する。また、加熱ロール３１０は円筒形状をしていて、加熱ロール３１０に内側には、熱源３１２が配置されている。熱源３１２としては、例えばハロゲンランプを用いることができる。
【００３３】
加圧ベルト３３０は、加熱ロール３１０に接触し、加熱ロール３１０との間に用紙が挟み込まれる挟込領域Ｎを形成する。また、加圧ベルト３３０は、可撓性を有し、無端状、帯状の部材であり、加圧ベルト３３０の内側に配置されているベルト支持部材３３２によって、回転することができるように支持されている。また、加圧ベルト３３０は、加熱ロール３１０が矢印ｂ方向に回転することに従動して矢印ｃ方向に回転する。
【００３４】
蓋部材２３０は、第二の部材として用いられていて、定着装置本体２１０に対して着脱することができ、定着装置本体２１０に対して装着されている状態、すなわち定着装置本体２１０に嵌まった状態において、定着装置本体２１０との間にサーモスタット２２０等を収納している。蓋部材２３０が定着装置本体２１０に嵌まった状態においては、例えば操作者等がサーモスタット２２０等に触れることができなくなる。また、蓋部材２３０を定着装置本体２１０から取り外すことにより、サーモスタット２２０等の保守が行いやすくなる。
【００３５】
また、蓋部材２３０は、図４に示すように、上側段部２３４Ｕと下側段部２３４Ｌとを備えている。上側段部２３４Ｕは、蓋部材２３０の上端部に配置されていて、蓋部材２３０が定着装置本体２１０に対して嵌められた状態において上側突起２１８Ｕに嵌め込まれる。また、下側段部２３４Ｌは、蓋部材２３０の下端部に配置されていて、蓋部材２３０が定着装置本体２１０に対して嵌められた状態において、下側突起２１８Ｌに対して嵌め込まれる。
【００３６】
また、蓋部材２３０には、後側から前側へと向けて案内突起２１２が突出することができるように、案内孔２３６が形成されている。案内孔２３６は、蓋部材２３０の矢印ｄ１で示す方向（左側から右側へ向かう方向）及び矢印ｄ２で示す方向（右側から左側へ向かう方向）への移動を予め定められた一定の距離内で案内するものの、矢印ｄ１で示す方向及び矢印ｄ２で示す方向と交わる方向への蓋部材２３０移動を禁止するように形状が定められている。以後、矢印ｄ１で示す方向を第一の方向ｄ１とし、矢印ｄ２で示されている方向を第二の方向ｄ２とする。
【００３７】
また、蓋部材２３０には、挿入孔２３８が形成されている。挿入孔２３８は、後述する工具９００（図９を参照）を挿入するための挿入部として用いられている。蓋部材２３０に工具９００を挿入するための挿入孔を形成することに替えて、定着装置本体２１０に工具９００を挿入するための挿入孔を形成してもよい。
【００３８】
第一固定機構２５０は、定着装置本体２１０と蓋部材２３０とを一方向に固定する第一の固定手段として用いられていて、蓋部材２３０が定着装置本体２１０に対して第一の方向ｄ１へ移動することができないように蓋部材２３０を固定している。第一固定機構２５０の詳細は後述する。
【００３９】
第二固定機構２７０は、定着装置本体２１０と蓋部材２３０とを他方向に固定する第二の固定手段として用いられていて、蓋部材２３０が定着装置本体２１０に対して第二の方向ｄ２へ移動することができないように蓋部材２３０を固定している。第二固定機構２７０の詳細は後述する。
【００４０】
変形抑制機構２９０は、第一固定機構２５０による固定及び第二固定機構２７０による固定が解除される方向の定着装置本体２１０及び蓋部材２３０の変形を抑制する変形抑制手段として用いられている。変形抑制機構２９０の詳細は後述する。
【００４１】
図５には、蓋部材２３０の一部分が拡大して示されている。図５に示されているように、蓋部材２３０は先述の上側段部２３４Ｕと先述の下側段部２３４Ｌとを有し、蓋部材２３０には先述の挿入孔２３８が形成されている。また、蓋部材２３０は、禁止段部２４２をさらに有する。禁止段部２４２は、先述の第一固定機構２５０の一部を構成するものであって、第一の方向ｄ１及び第二の方向ｄ２に沿って傾斜した傾斜面２４４と、後述する禁止面２１６（図６を参照）に接触する接触面２４６とを有している。
【００４２】
また、蓋部材２３０には、上側段部２３４Ｕに隣接する位置に上側切欠２３２Ｕが形成されていて、下側段部２３４Ｌに隣接する位置に下側切欠２３２Ｌが形成されている。
【００４３】
図６には、定着装置本体２１０の一部が拡大して示されている。図６に示されているように、定着装置本体２１０は、先述の上側突起２１８Ｕと、先述の下側突起２１８Ｌとを有する。また、定着装置本体２１０は、変形突起２１４と、禁止面２１６とを有する。
【００４４】
変形突起２１４は、変形部として用いられていて、定着装置本体２１０と蓋部材２３０との第一の方向ｄ１と逆方向への移動を許容するように変形する。すなわち、変形突起２１４は、定着装置本体２１０に対する蓋部材２３０の第一の方向ｄ１と逆方向の移動を許容するように変形する。
【００４５】
禁止面２１６は、定着装置本体２１０と蓋部材２３０との第一の方向ｄ１への移動を禁止する。すなわち、禁止面２１６は、蓋部材２３０の接触面２４６（図５を参照）に接触し、蓋部材２３０の第一の方向ｄ１への移動を禁止する。
【００４６】
画像形成装置１０においては、第一固定機構２５０は、蓋部材２３０が有する禁止段部２４２（図５を参照）と、変形突起２１４と、禁止面２１６とにより構成されていて、禁止面２１６が禁止段部２４２の移動の軌跡上に位置し、禁止段部２４２の第一の方向ｄ１への移動を禁止することで、蓋部材２３０が矢印ｄ１方向へ移動をすることを禁止している。
【００４７】
第二固定機構２７０は、蓋部材２３０が有する上側段部２３４Ｕ及び下側段部２３４Ｌ（それぞれ図５を参照）と、定着装置本体２１０が有する上側突起２１８Ｕ及び下側突起２１８Ｌとにより構成されている。第二固定機構２７０では、上側突起２１８Ｕが上側段部２３４Ｕの第二の方向ｄ２への移動の軌跡と緩衝する位置に配置されていて、下側突起２１８Ｌが下側段部２３４Ｌの第二の方向ｄ２への移動の軌跡と緩衝する位置に配置されていている。このため、上側段部２３４Ｕの第二の方向ｄ２への移動が禁止され、下側段部２３４Ｌの第二の方向ｄ２への移動が禁止されることで、蓋部材２３０の第二の方向ｄ２への移動が禁止される。
【００４８】
変形抑制機構２９０は、第二固定機構２７０と同様に、蓋部材２３０が有する上側段部２３４Ｕ及び下側段部２３４Ｌ（それぞれ図５を参照）と、定着装置本体２１０が有する上側突起２１８Ｕ及び下側突起２１８Ｌとにより構成されている。変形抑制機構２９０では、上側突起２１８Ｕが上側段部２３４Ｕを覆うように配置されていて、下側突起２１８Ｌが下側段部２３４Ｌを覆うように配置されている。このため、蓋部材２３０が定着装置本体２１０から離れる方向へと変形しにくくなり、蓋部材２３０が定着装置本体２１０から離れる方向へと変形することにより、第一固定機構２５０による固定が解除される虞が軽減し、第二固定機構２７０による固定が解除される虞が軽減する。
【００４９】
また、変形抑制機構２９０は、定着装置本体２１０が蓋部材２３０から離れる方向へと変形することを抑制している。このため、定着装置本体２１０が蓋部材２３０から離れる方向へと変形することより、第一固定機構２５０による固定が解除される虞が軽減し、第二固定機構２７０による固定が解除される虞が軽減する。
【００５０】
また、変形抑制機構２９０は、蓋部材２３０の長手方向及び定着装置本体２１０の長手方向（第一の方向ｄ１、第二の方向ｄ２と同じ方向）と交わる方向において、第一固定機構２５０及び第二固定機構２７０と重なるように配置されている。
【００５１】
図７には、蓋部材２３０が定着装置本体２１０に対して固定される際の第一固定機構２５０の動作が説明されている。蓋部材２３０を定着装置本体２１０に対して装着するには、まず、案内孔２３６から案内突起２１２が突出した状態となるように、蓋部材２３０を定着装置本体２１０に対して装着する（図３を参照）。この際、図７（ａ）に示すように、変形突起２１４と禁止段部２４２とは互いに接触しない状態となる。
【００５２】
図７（ａ）に示す状態から、例えば定着装置２００の保守をする者等（以下、保守者等とする）が蓋部材２３０を、第二の方向ｄ２へと移動させると、移動の途中において、変形突起２１４に対して、禁止段部２４２が接触する。そして、保守者等が蓋部材２３０をさらに第一の方向ｄ２へと移動させると、図７（ｂ）に示すように、傾斜面２４４に押圧されことにより、変形突起２１４は禁止段部２４２から遠ざかり、禁止段部２４２の第二の方向ｄ２への移動を許容するように弾性的に変形する。
【００５３】
図７（ｂ）に示す状態から、保守者等が蓋部材２３０をさらに第二の方向ｄ２へと移動させると、傾斜面２４４が変形突起２１４の位置を通過し、傾斜面２４４が変形突起２１４を押圧しなくなる。そして、押圧されなくなることにより、図７（ｃ）に示すように、変形突起２１４が弾性変形前の形状に戻る。
【００５４】
図７（ｃ）に示す状態においては、変形突起２１４の禁止面２１６が禁止段部２４２と緩衝し、禁止段部２４２の定着装置本体２１０に対する第一の方向ｄ１への移動が禁止され、定着装置本体２１０と蓋部材２３０とが第一固定機構２５０によって第一の方向ｄ１に固定される。
【００５５】
図８には、蓋部材２３０が定着装置本体２１０に対して固定される際の第二固定機構２７０の動作が説明されている。先述のように、蓋部材２３０を定着装置本体２１０に対して装着するには、まず、案内孔２３６から案内突起２１２が突出した状態となるように、蓋部材２３０を定着装置本体２１０に対して装着する（図３を参照）。この際、図８（ａ）に示すように定着装置本体２１０から離間していた蓋部材２３０が、図８（ｂ）に示すように定着装置本体２１０に対して接触した状態となる。
【００５６】
図８（ｂ）に示す状態から、保守者等が蓋部材２３０を第二の方向ｄ２へと移動させると、蓋部材２３０の下側段部２３４Ｌが定着装置本体２１０の下側突起２１８Ｌに近づき、蓋部材２３０の上側段部２３４Ｕ（図５を参照）が定着装置本体２１０の上側突起２１８Ｕ（図６を参照）に近づく。
【００５７】
図８（ｂ）の示す状態から蓋部材２３０をさらに第二の方向ｄ２へと移動させると、図８（ｃ）に示すように、蓋部材２３０の下側段部２３４Ｌが定着装置本体２１０の下側突起２１８Ｌに接触し、蓋部材２３０の上側段部２３４Ｕが定着装置本体２１０の上側突起２１８Ｕに接触した状態となる。そして、この状態においては、下側突起２１８Ｌが下側段部２３４Ｌの移動の軌跡と緩衝する位置にあり、上側突起２１８Ｕが上側段部２３４Ｕの移動の軌跡と緩衝する位置にあるため、蓋部材２３０の第二の方向ｄ２への移動が禁止される。このように、図８（ｃ）に示す状態においては、蓋部材２３０の定着装置本体２１０に対する第二の方向ｄ２への移動が禁止され、定着装置本体２１０と蓋部材２３０とが第二固定機構２７０によって第二の方向ｄ２に固定される。
【００５８】
図９には、工具９００が示されている。工具９００は、第一固定機構２５０による固定を解除するために用いられるものであり、保守者等により把持される把持部９１０と、把持部９１０に連結された棒状部９２０とを有する。
【００５９】
棒状部９２０は、把持部９１０が装着されている側と逆側の端部９２８を有し、把持部９１０側に位置する屈曲位置９２２と、端部９２８側に位置する屈曲位置９２４とで屈曲していて、屈曲位置９２４よりも端部９２８側の部分が、変形突起２１４（図６を参照）を押圧する押圧部９２６として用いられている。
【００６０】
図１０には、定着装置本体２１０に対して固定された蓋部材２３０を定着装置本体２１０から取り外す動作が説明されている。蓋部材２３０を取り外すには、図１０（ａ）に示されているように、例えば保守者等が、工具９００の端部９２８を挿入孔２３８に挿入するようにして工具９００を第一固定機構２５０へと到達させる。より具体的には、図１０（ａ）に示されているように、例えば保守者等が、工具９００の押圧部９２６を変形突起２１４に接触させる。
【００６１】
図１０（ｂ）は、保守者等による工具９００の操作により、第一の方向ｄ１への蓋部材２３０の移動を許容するように、図１０（ａ）に示す状態から第一固定機構２５０が操作された状態を示している。より具体的には、変形突起２１４が押圧部９２６により押圧されて、変形突起２１４の禁止面２１６が禁止段部２４２から離間した状態が示されている。この状態において、蓋部材２３０を定着装置本体２１０に対して第一の方向ｄ１へと移動させることができる。
【００６２】
図１０（ｃ）には、保守者等が、図１０（ｂ）に示す状態から蓋部材２３０を第一の方向ｄ１へと移動させた状態が示されている。この状態においては、上側突起２１８Ｕと上側段部２３４Ｕとが離間し、下側突起２１８Ｌと下側段部２３４Ｌとが離間しているため、定着装置本体２１０から蓋部材２３０を取り外すことができるようになる。
【００６３】
以上で説明をしたように、工具９００を第一固定機構２５０による固定を解除するように構成し、このような工具９００で第一固定機構２５０による固定を解除することに替えて、工具９００を第二固定機構２７０による固定を解除するように構成し、このような工具９００で第二固定機構２７０による固定を解除するようにしてもよい。
【００６４】
尚、定着装置本体２１０に対する蓋部材２３０の取付けと、定着装置本体２１０からの蓋部材２３０の取り外しとは、開閉部９０を画像形成装置本体２０に対して開くことにより形成される空間を介し、定着装置２００を画像形成装置本体２０から取り外した状態で行われる。
【００６５】
以上のように構成された画像形成装置１０によれば、工具９００を用いることで、保守者等は定着装置本体２１０から蓋部材２３０を容易に取り外すことができるものの、工具９００を有しない操作者等は、定着装置本体２１０から蓋部材２３０を取り外すことが困難である。このため、蓋部材２３０が操作者等により取り外され、サーモスタット２２０等に操作者等が触れる虞を軽減することができるとともに、保守者等が蓋部材２３０を取り外した状態で定着装置２００の保守をすることができるようになる。
【産業上の利用可能性】
【００６６】
以上で説明をしたように、本発明は、例えば複写機、ファクシミリ装置、プリンター等の電装装置と、例えばこのような電装形成装置で用いられる定着装置とに適用することができる。
【符号の説明】
【００６７】
１０・・・画像形成装置
２００・・・定着装置
２１０・・・定着装置本体
２１４・・・変形突起
２１６・・・禁止面
２１８Ｕ・・・上側突起、２１８Ｌ・・・下側突起
２２０・・・サーモスタット
２３０・・・蓋部材
２３４Ｕ・・・上側段部、２３４Ｌ・・・下側段部
２３８・・・挿入孔
２４２・・・禁止段部
２４４・・・傾斜面
２４６・・・接触面
２５０・・・第一固定機構
２７０・・・第二固定機構
２９０・・・変形抑制機構
９００・・・工具
ｄ１・・・第一の方向
ｄ２・・・第二の方向
【図１】
0006650102.tif 000002
【図２】
0006650102.tif 000003
【図３】
0006650102.tif 000004
【図４】
0006650102.tif 000005
【図５】
0006650102.tif 000006
【図６】
0006650102.tif 000007
【図７】
0006650102.tif 000008
【図８】
0006650102.tif 000009
【図９】
0006650102.tif 000010
【図１０】
0006650102.tif 000011